(57)【要約】【課題】ガイドレールに沿ってアウト口に向けて流れる球をファール球として遊技者に返却する救済確度向上を図る。【解決手段】球が始動入賞部品３７に入賞し、当該入賞に伴う制御装置３９による抽選の結果として外れが抽選された場合のように遊技者に有利な遊技状況から遊技者に不利な遊技状況に変化した場合、羽根２６が開閉し、羽根２６が開放すると、ガイドレール２に沿ってアウト口２５に向う球が遊技者に返却するファール球として遊技領域３からファール球取入口３１、ファール球通路３３、ファール口３４、遊技盤１の裏側および遊技機枠２１の裏側に設けられた球通路を順に経由して皿装置１３に排出されて遊技者側に返却される。【選択図】　　　　図１
2004121296.tif 000002
【特許請求の範囲】
【請求項１】
遊技盤の意匠盤面に遊技領域を形成するガイドレールの一部がガイドレールに沿ってアウト口に向う球を遊技者に返却するファール球として遊技領域から遊技領域外に排出すべく遊技状況で開閉し得る羽根により形成されたことを特徴とするパチンコ機。
【請求項２】
遊技状況が遊技者に有利な遊技状況から不利な遊技状況に変化したことを特徴とする請求項１記載のパチンコ機。
【発明の詳細な説明】
【０００１】
【発明の属する技術分野】
本発明はガイドレールに沿って遊技領域から店側に回収すべくアウト口に向けて流れる球を遊技状況に応じてファール球として遊技者に返却し得るパチンコ機に関する。
【０００２】
【従来の技術】
図７は従来のパチンコ機を示す（例えば、特許文献１参照）。この従来例は、遊技盤１の前面である意匠盤面にガイドレール２で囲まれた内側を遊技領域３として形成し、ガイドレール２による発射球通路４の球出口に第１戻り球防止弁５を設け、遊技領域３の内部に内レール６を配置し、内レール６の最下部で遊技領域３の下部に第１アウト口７を設け、ガイドレール２と内レール６との間に再発射球通路８を形成し、再発射球通路８の球出口に第２戻り球防止弁９を設け、再発射球通路８の最下部に再球発射装置１０を設け、再球発射装置１０よりも左側の再発射球通路８に第２アウト口１１を設け、再球発射装置１０よりも右側の再発射球通路８にファール球戻し部１２を設けている。そして、発射球通路４から第１戻り球防止弁５を押し開けて遊技領域３の右側に発射された球は第２戻り球防止弁９で再発射球通路８に取り込まれることを阻止されて遊技領域３に戻されて入賞部品に入賞しない場合に第１アウト口７に取り込まれて店に回収される一方、発射球通路４から第１戻り球防止弁５を押し開けて遊技領域３の左側に発射された球はガイドレール２に沿って流下して再発射球通路８に取り込まれる。この再発射球通路８に取り込まれた球の流速が緩い場合には当該球は第２アウト口１１に取り込まれて店に回収され、再発射球通路８に取り込まれた球の流速が速い場合には当該球は第２アウト口１１を飛び越えた後に再球発射装置１０で再発射される。この再発射された球は第２戻り球防止弁９を押し開けて遊技領域３に発射されるが、当該再発射された球の勢いが弱く第２戻り球防止弁９を押し開けることがない場合には当該球は再発射球通路８を第２戻り球防止弁９から再球発射装置１０の方向に流下してファール球戻し部１２に取り込まれて遊技者の側に返却されるファール球として皿装置１３に戻される。
【０００３】
【特許文献１】
特開平９−１９２３０１号公報（第１頁、要約、図２）
【０００４】
【発明が解決しようとする課題】
しかしながら、前記従来例はガイドレール２に沿って流下して再発射球通路８に取り込まれた球が第２アウト口１１に取り込まれて店に回収される場合と第２アウト口１１を飛び越えた後に再球発射装置１０で再発射される場合とが発生する構造であるため、遊技領域３に発射されて第１・第２アウト口７；１１に取り込まれる球を遊技者の側にファール球として戻すことで救済する観点から見ると、一部の球だけを救済することしかできないという問題点があった。
【０００５】
そこで、本発明はガイドレールに沿ってアウト口に向けて流れる球をファール球として遊技者に返却する救済確度を向上することができるパチンコ機を提供するものである。
【０００６】
【課題を解決するための手段】
本発明にあっては、遊技盤の意匠盤面に遊技領域を形成するガイドレールの一部がガイドレールに沿ってアウト口に向う球を遊技者に返却するファール球として遊技領域から遊技領域外に排出すべく遊技状況で開閉し得る羽根により形成されたことによって、羽根が開放すると、ガイドレールに沿ってアウト口に向う球を遊技者に返却するファール球として遊技領域から遊技領域外に排出するので、当該遊技領域外に排出されたファール球を遊技盤の裏側および遊技機枠の裏側に設けられた球通路を経由して皿装置に排出して遊技者側に返却すれば、始動入賞部品や入賞部品に入賞せずにガイドレールに沿ってアウト口に向う球をファール球として遊技者に返却する救済確度を向上することができる。また、本発明にあっては、遊技状況が遊技者に有利な遊技状況から不利な遊技状況に変化すれば、遊技状況が遊技者に不利な遊技状況になった場合において、ガイドレールに沿ってアウト口に向う球をファール球として遊技者に返却することによって、入賞の可能性に再挑戦する機会を遊技者に与えることができる。
【０００７】
【発明の実施の形態】
図１は第１実施形態に係るパチンコ機の正面を模式的に示す。図１において、遊技機枠２１の内部に設けられた球発射機構２２が遊技機枠２１の前面に設けられた球発射操作機構２３への遊技者による操作で遊技機枠２１の前面に設けられた皿装置１３からの球を１個ずつ遊技盤１に向けて発射する点、発射された球が遊技機枠２１の内部に格納された遊技盤１の前面である意匠盤面に遊技領域３を形成するガイドレール２における発射球通路４の球出口に設けられた戻り球防止弁２４を押し開けて遊技領域３に放出される点は公知である。
【０００８】
これに対し、ガイドレール２の一部がガイドレール２に沿ってアウト口２５に向う球を遊技者に返却するファール球として遊技領域３から非遊技領域３０に排出すべく遊技状況で開閉し得る羽根２６により形成された点が新規である。第１実施形態では、ガイドレール２の最下部に位置するようにアウト口２５が遊技領域３の最下部に設けられ、アウト口２５の左右両側に位置する部分が羽根２６として形成される。左右の羽根２６のそれぞれは下部に設けられた羽根軸２７を回転中心として実線で示す閉鎖位置と仮想線で示す開放位置とに開閉する。ガイドレール２の羽根２６よりも上方部分２８とガイドレール２のアウト口周囲部分２９との間には羽根２６が開放されることでガイドレール２に沿ってアウト口２５に向う球を遊技者に返却するファール球として遊技領域３から非遊技領域３０に排出するファール球取入口３１を形成し、羽根２６が閉鎖されてファール球取入口３１を閉じることでガイドレール２の羽根２６よりも上方部分２８に沿ってアウト口２５に向う球をガイドレール２のアウト口周囲部分２９へと誘導する。左のファール球取入口３１における羽根軸２７の反対側端と右のファール球取入口３１における羽根軸２７の反対側端とがファール球誘導レール３２で互いに連接される。
【０００９】
ファール球誘導レール３２は遊技盤１の前面である意匠盤面のガイドレール２で囲まれた外側の非遊技領域３０に配置される。ファール球誘導レール３２とガイドレール２のアウト口周囲部分２９との間はファール球通路３３として形成される。ファール球誘導レール３２の最下部に位置するようにファール口３４がファール球通路３３に形成される。アウト口２５およびファール口３４は遊技盤１に前後方向に貫通するように形成された孔になっている。羽根２６には遊技盤１の裏側に設けられた電磁ソレノイドのような羽根駆動源３５の図外のプランジャのような出力体が連結されており、羽根駆動源３５に電力が供給されると、羽根２６が羽根軸２７を回転中心としてプランジャで閉鎖位置から開放位置に開き、羽根駆動源３５への電力供給が遮断されると羽根２６が羽根駆動源３５の図外のコイルスプリングのようなばねで開放位置から閉鎖位置に閉じる。
【００１０】
遊技盤１の遊技領域３に設けられたセンター飾り３６の真下に設けられた始動入賞部品３７に入賞した球は始動入賞球検出器３８で検出され、始動入賞球検出器３８が始動入賞信号を遊技盤１の裏側または遊技機枠２１の裏側に設けられた制御装置３９に出力する。制御装置３９は遊技者による球発射操作機構２３の操作量に応じた電気的な発射出力を球発射機構２２の駆動部に出力し、始動入賞信号の入力により当たり外れ抽選を実行するとともにセンター飾り３６の裏側に配置された図柄表示器４１に図柄変動開始を指示し、図柄変動の開始後に当たり外れの抽選結果を反映するように図柄表示器４１に図柄変動停止を指示し、当たり外れ抽選結果として外れが抽選されている場合には羽根２６の開閉を行うべく羽根駆動源３５を駆動し、当たり外れ抽選結果として当たりが抽選されている場合には始動入賞部品３７とアウト口２５との間に位置するように遊技領域３に設けられたアタッカーや大入賞口と呼ばれるような可変入賞部品４２の開閉体４３を前後方向に開閉すべく可変入賞部品４２の図外の電磁ソレノイドのような開閉駆動源を駆動する。
【００１１】
図柄表示器４１による図柄変動や図柄停止の状況はセンター飾り３６に設けられた合成樹脂からなる図外の透過パネルを通してパチンコ機の前側から遊技者が視認し得る。遊技盤１の遊技領域３には図外の入賞部品、風車、サイドランプ、遊技釘などの部品も設けられる。遊技盤１の非遊技領域３０には図外の完了ランプ、賞球ランプなどの部品も設けられる。ガイドレール２、羽根２６、遊技領域３、非遊技領域３０、ファール球取入口３１、ファール球誘導レール３２、ファール球通路３３、ファール口３４、センター飾り３６、始動入賞部品３７、可変入賞部品４２、入賞部品、風車、サイドランプ、遊技釘、完了ランプ、賞球ランプなどの部品は遊技機枠２１に開閉可能に設けられたガラスまたは合成樹脂からなる透過性の有る図外の前面パネルで覆われる。当該前面パネルと遊技領域３における遊技盤１の意匠盤面との間には球の飛び交う空間が形成される。
【００１２】
第１実施形態の動作について説明する。遊技領域３に発射された球が始動入賞部品３７に入賞し、制御装置３９が始動入賞球検出器３８からの始動入賞信号を検出すると、制御装置３９が当たり外れの抽選を実行して結果を記憶するとともに図柄表示器４１に図柄変動の開始を指示した後に抽選結果を反映した図柄停止を指示する。そして、抽選結果が外れの場合、図柄表示器４１の停止した確定図柄が外れ図柄となる一方、制御装置３９が羽根駆動源３５を制御装置３９に設定された開閉パターンで駆動する。
【００１３】
これによって、始動入賞部品３７への球の入賞に伴う図柄変動開始という遊技者に有利な遊技状況から図柄表示器４１の確定図柄が外れ図柄となるという遊技者に不利な遊技状況に変化した遊技状況が発生すると、羽根２６が上記開閉パターンに従い開閉する。そして、羽根２６が開放すると、ガイドレール２に沿ってアウト口２５に向う球を遊技者に返却するファール球として遊技領域３から非遊技領域３０に排出するので、始動入賞部品３７や図外の入賞部品に入賞せずにガイドレール２に沿ってアウト口２５に向う球をファール球として遊技者に返却する救済確度を向上することができる。
【００１４】
開閉パターンとしては羽根２６を所定時間開放後に閉じるパターン、羽根２６の開閉を所定時間繰り返した後に羽根２６を閉じるパターンなどがあるが、羽根２６を所定時間開放後に閉じるパターンとすれば、遊技者に有利な遊技状況から遊技者に不利な遊技状況となった場合に、遊技者に返却するファール球の球数を多くすることができる。羽根２６の開放中において、遊技領域３からファール球取入口３１を経由して非遊技領域３０である遊技領域外におけるファール球通路３３に取り込まれたファール球はファール口３４に取り込まれる。このファール口３４に取り込まれた球は遊技盤１の裏側および遊技機枠２１の裏側に設けられた図外の球通路を経由して皿装置１３に排出されることで遊技者側に返却される。この皿装置１３に返却されたファール球は球発射機構２２で遊技盤１に向けて発射されるので、遊技状況が遊技者に不利な遊技状況になった場合において、入賞の可能性に再挑戦する機会を遊技者に与えることができる。
【００１５】
羽根２６がアウト口２５よりも上部に設けられているので、羽根２６が開放され、ファール球取入口３１が開かれることで、羽根２６よりも上方のガイドレール２に沿ってアウト口２５に向う球を当該球の流速と無関係にアウト口２５に流入しないようにファール球取入口３１に取り込むことができる。開閉体４３の開放中における可変入賞部品４２や図外の入賞部品に球が入賞し、当該球を検出した図外の入賞球検出器が入賞信号を制御装置３９に出力することで、制御装置３９が遊技機枠２１の裏側に取り付けられた図外の球払出機構に球払出を指示し、球払出機構が賞球としての球を皿装置１３に払い出す。
【００１６】
図２は第２実施形態に係る羽根２６周りの正面を示し、羽根２６が羽根軸２７を回転中心として下方に開くことでファール球取入口３１を開放すれば、ファール球取入口３１を左右に形成することが可能となる。
【００１７】
図３は第３実施形態に係る羽根２６周りの正面を示し、羽根軸２７を羽根２６の上部に設け、羽根２６を下方に開くようにすれば、開いた羽根２６がファール球誘導レール３２の一部を構成することができるので、ファール球誘導レール３２の一部を省略して遊技盤１のコストダウンを図ることができる。
【００１８】
図４は第４実施形態に係る羽根２６周りの正面を示し、羽根２６の開度を大きくして、遊技領域３の中央側からアウト口２５に向う球をファール球取入口３１に取り込むようにすれば、羽根２６の回転運動範囲は広がるものの、遊技者に返却するファール球の球数を一層多くすることができる。この場合、図示のように開いた左右の羽根２６を互いに接触するか接触する程度まで近づけてもよいが、始動入賞部品３７と可変入賞部品４２との間に設けられる図外の遊技釘と開いた左右の羽根２６との共同で遊技領域３の中央側からアウト口２５に向う球をファール球取入口３１に取り込むようにしてもよい。
【００１９】
図５は第５実施形態に係る羽根２６周りの縦断面を示し、遊技機枠２１に遊技盤１を搭載するように設けられたフロントプレートと呼ばれるような棚４５にファール球を前側から裏側に誘導するファール口３４を設ければ、機種交換で入れ替えが多く行われる遊技盤１からファール口３４を取り除いて遊技盤１のコストダウンを図ることができる。その理由は遊技盤１が機種交換されても、遊技機枠２１は数年間交換することなく継続使用されるからである。
【００２０】
図６は第６実施形態に係る羽根２６周りの正面を示し、遊技盤１のファール球取入口３１から棚４５のファール口３４にファール球を誘導する案内部材４６を棚４５に設け、当該案内部材４６における上部開口の横幅を左右のファール球取入口３１から落下するファール球を受け入れることができるように広く形成すれば、遊技盤１からファール球誘導レール３２を取り除くことができる。
【００２１】
始動入賞に伴う遊技者に有利な遊技状況から遊技者に不利な遊技状況に変化した場合に羽根２６を開閉したが、羽根２６を開閉するための入賞部品を始動入賞部品３７以外に設定してもよい。また、制御装置３９が電気的な発射出力を球発射機構２２の駆動部に出力している場合において、制御装置３９に設定された所定時間毎に羽根駆動源３５を駆動して羽根２６を開閉してもよい。羽根駆動源３５が個別に必要となるが、左右の羽根２６を互いに交互に開閉することも可能である。具体的には、左の羽根２６が開いた場合には右の羽根２６が閉じ、左の羽根２６が閉じた場合には右の羽根２６が開く。
【図面の簡単な説明】
【図１】第１実施形態のパチンコ機を示す模式図。
【図２】第２実施形態の羽根周りを示す正面図。
【図３】第３実施形態の羽根周りを示す正面図。
【図４】第４実施形態の羽根周りを示す正面図。
【図５】第５実施形態に係る羽根周りを示す縦断面図。
【図６】第６実施形態の羽根周りを示す正面図。
【図７】従来のパチンコ機を示す模式図。
【符号の説明】
１　遊技盤
２　ガイドレール
３　遊技領域
２５　アウト口
２６　羽根
３０　非遊技領域
３１　ファール球取入口
３４　ファール口
３９　制御装置
【図１】
2004121296.tif 000003
【図２】
2004121296.tif 000004
【図３】
2004121296.tif 000005
【図４】
2004121296.tif 000006
【図５】
2004121296.tif 000007
【図６】
2004121296.tif 000008
【図７】
2004121296.tif 000009